(57)【要約】【課題】毛染めなどの美容技術を施術するような場合に、使用者に不快感を生じさせることなく、耳に染毛剤などが付着することを防止する効果が得られ、しかも製造コストを廉価にすることが可能な利便性に優れた耳カバーシートを提供する。【解決手段】耳カバーシートＡは、可撓性を有するシート体１を備えて構成されており、シート体１は、耳Ｅを通すためのスリット２０が形成されたベース領域１０と、このベース領域１０に繋がり、かつスリット２０に耳が通された状態において折り返されることにより耳Ｅを覆うことが可能なカバー片領域１１Ａ，１１Ｂとを備えている。【選択図】  図２
2004290647.tif 000002
【特許請求の範囲】
【請求項１】
耳に取り付けて使用するための耳カバーシートであって、
可撓性を有するシート体を備えて構成されており、
上記シート体は、耳を通すためのスリットまたはこのスリットを形成するための破断容易部が設けられたベース領域と、このベース領域に繋がり、かつ上記スリットに耳が通された状態において折り返されることにより上記耳を覆うための少なくとも１つのカバー片領域と、を備えていることを特徴とする、耳カバーシート。
【請求項２】
上記カバー片領域として、上記スリットに耳が通された状態において耳下側に折り返されることにより上記耳を耳上側から覆うための領域を備えている、請求項１に記載の耳カバーシート。
【請求項３】
上記カバー片領域として、上記スリットに耳が通された状態において耳前側に折り返されることにより上記耳を耳後側から覆うための領域をさらに備えている、請求項２に記載の耳カバーシート。
【請求項４】
上記カバー片領域は、耳を覆うように折り返されたときに上記スリットに挿入可能な部分を有している、請求項１ないし３のいずれかに記載の耳カバーシート。
【請求項５】
上記カバー片領域が耳を覆うように折り返されたときにその折り返し状態を維持可能に上記カバー片領域の固定を図るための固定手段を備えている、請求項１ないし４のいずれかに記載の耳カバーシート。
【請求項６】
上記シート体のうち、少なくとも上記カバー片領域の折り返し線となる部分およびその近傍部分は、撥水性または防水性を有している、請求項１ないし５のいずれかに記載の耳カバーシート。
【発明の詳細な説明】
【０００１】
【発明の属する技術分野】
本発明は、美容技術を施術する際に、染毛剤、パーマ液、トリートメント剤などが耳（耳介）に付着することを防止する用途に用いるのに好適な耳カバーシートに関する。
【０００２】
【従来の技術】
従来、頭髪の毛染めを行なう際に、耳に染毛剤が付着することを防止するための手段としては、図１２および図１３に示すような耳カバーがある（たとえば、特許文献１，２参照）。
【０００３】
図１２に示す耳カバーＢ１は、可撓性部材からなるキャップ９０の開口部周縁に、輪状のゴム９１を装着したものである。この耳カバーＢ１においては、キャップ９０を使用者の耳に被せると、ゴム９１が耳の根元を締めつけることとなり、この作用により耳への装着保持が可能である。
【０００４】
一方、図１３に示す耳カバーＢ２は、一対の碗状部材９２を針金状などの連結部材９３によって連結したものである。この耳カバーＢ２においては、一対の碗状部材９２を使用者の両耳に被せてから、連結部材９３によって一対の碗状部材９２の間隔を調整することにより、それら一対の碗状部材９２を使用者の耳に被せた状態を維持できるようになっている。
【０００５】
【特許文献１】
実開平２−４９５１８号公報
【特許文献２】
実開昭６３−１６３７１６号公報
【０００６】
【発明が解決しようとする課題】
しかしながら、上記従来技術においては、次のような問題点があった。
【０００７】
すなわち、図１２に示した耳カバーＢ１は、ゴム９１が使用者の耳の根元を締めつけるようになっているものの、人の耳の根元は一般的には縦長状であるため、このような構造では耳カバーＢ１が耳から外れ易い。また、キャップ９０の開口部周縁の全周を隙間無く密着させることは難しく、キャップ９０と耳との間に大きな隙間が発生し易い。したがって、耳カバーＢ１の脱落、あるいは上記した隙間から染毛剤がキャップ９０内に浸入することに起因して、耳に染毛剤が付着し、耳が汚れてしまう虞れが大きなものとなっていた。ゴム９１が緩めの場合には、そのような虞れが一層顕著となる。このような虞れを少なくするには、ゴム９１をきつくすることが考えられるが、そうすると、耳の根元が強く締めつけられ、使用者が痛みを感じるため適切ではない。また、ゴム９１をかなりきつくしても、縦長状の耳の根元にキャップ９０の開口部周縁の全周を隙間なく密着させることはやはり困難であり、上記した虞れを十分に解消するには至らない。
【０００８】
さらに、耳カバーＢ１を製造するには、可撓性部材を立体的なキャップ状に成形した後に、その開口部周縁にゴム９１を装着する必要がある。したがって、その製造は煩雑であり、製造コストが高価である。耳カバーを理・美容院において用いる場合、衛生面の観点からすると、この耳カバーは一回使用された後には廃棄処分とされることが好ましいが、耳カバーが高コストであると、このようなことの実現も難しいものとなる。
【０００９】
一方、図１３に示した耳カバーＢ２においては、上記した耳カバーＢ１とは異なり、その使用に際してゴムが耳の根元を締めつけることはない。ところが、この耳カバーＢ２は、一対の碗状部材９２を連結部材９３により連結した比較的大掛かりな構造を有しており、その製造コストは、耳カバーＢ１よりもさらに高価となる。また、碗状部材９２は、連結部材９３の長さ調整によって耳を覆う状態に維持されるに過ぎないために、碗状部材９２の開口周縁部と使用者の耳の周辺部との間には隙間が生じ易い。したがって、やはりこの隙間から染毛剤が碗状部材９２内に浸入し、耳が汚れ易くなっていた。さらに、耳カバーＢ２の使用時には、使用者の顔の前に連結部材９３が位置するため、これが目障りまたは邪魔なものとして使用者に不快感を感じさせる場合もある。
【００１０】
本発明は、このような事情のもとで考え出されたものであって、毛染めなどの美容技術を施術するような場合に、使用者に不快感を生じさせることなく、耳に染毛剤などが付着することを防止する効果が得られ、しかも製造コストを廉価にすることが可能な利便性に優れた耳カバーシートを提供することをその課題としている。
【００１１】
【発明の開示】
上記の課題を解決するため、本発明では、次の技術的手段を講じている。
【００１２】
本発明によって提供される耳カバーシートは、耳に取り付けて使用するための耳カバーシートであって、可撓性を有するシート体を備えて構成されており、上記シート体は、耳を通すためのスリットまたはこのスリットを形成するための破断容易部が設けられたベース領域と、このベース領域に繋がり、かつ上記スリットに耳が通された状態において折り返されることにより上記耳を覆うための少なくとも１つのカバー片領域と、を備えていることを特徴としている。
【００１３】
このような構成によれば、耳の外側部分をシート体のカバー片領域によって覆い、たとえば毛染めを行なうときに染毛剤が耳に付着することを防止することができる。上記したカバー片領域の折り返し位置は、耳のサイズに応じて適宜変更することも可能であり、耳の大小を殆ど問うことなく、多くの人に使用でき、便利である。さらに、本発明の耳カバーシートの取り付けは、シート体のスリットに耳を通して行なうために、ゴムを用いていた従来技術とは異なり、耳を圧迫するようなことがなく、使用者に不快感を生じないようにすることができる。さらに、本発明に係る耳カバーシートは、可撓性のシート体のみによって構成することが可能であり、その原材料コストならびに加工コストを安価にし、使い捨てなどにするのに最適となる。
【００１４】
本発明においては、上記シート体が天然繊維または合成繊維による織布、不織布、および紙のうち、１または複数をその素材とした構成とすることが可能である。これらのうちでも、肌触りが良く柔軟性に富む綿、ポリプロピレン、ポリエチレン、ポリウレタン製の不織布は好適であり、とくに染毛剤、パーマ液、トリートメント剤のうちの少なくとも最も粘性の高い染毛剤が透過しない程度に繊維間の目が詰まった肉厚の薄い不織布が最適なものの１つとして挙げることができる。
【００１５】
本発明の好ましい実施の形態においては、上記カバー片領域として、上記スリットに耳が通された状態において耳下側に折り返されることにより上記耳を耳上側から覆うための領域を備えている。このような構成によれば、毛染めを行なうときに最も汚れが生じ易い部分となっていた耳の上部（耳介の耳輪の上寄り部分）を適切に覆い、この部分に染毛剤などが付着することを的確に防止することができる。
【００１６】
本発明の好ましい実施の形態においては、上記カバー片領域として、上記スリットに耳が通された状態において耳前（耳の前方部分）側に折り返されることにより上記耳を耳後（耳の後方部分）側から覆うための領域をさらに備えている。このような構成によれば、耳の後部（耳介の耳輪の後寄り部分）をも適切に覆うことができ、この部分に染毛剤などが付着することも的確に防止される。
【００１７】
本発明の好ましい実施の形態においては、上記カバー片領域は、耳を覆うように折り返されたときに上記スリットに挿入可能な部分を有している。上記スリットに挿入可能な部分は、上記カバー片領域の他の部分から一部突出した形態をもつ突縁部として構成することが可能である。このような構成によれば、上記カバー片領域の一部分を上記スリットに挿入して係止させることにより、上記カバー片領域が折り返された後に開かないようにすることができ、耳を上記シート体によって覆った状態を適切に維持させるのに好適となる。また、上記スリットに上記カバー片領域の一部を挿入、係止させる作業は、容易かつ短時間で行なうことができる。さらに、上記構成によれば、上記カバー片領域を固定させるための手段を、上記スリットとは別個に設ける場合と比較すると、耳カバーシートの製造コストの低減化を図るのにより好ましいものとなり、またベース領域の形状を安定させるのにも好適となる。
【００１８】
本発明の好ましい実施の形態においては、上記カバー片領域が耳を覆うように折り返されたときにその折り返し状態を維持可能に上記カバー片領域の固定を図るための固定手段を備えている。このような構成によっても、上記シート体のカバー片領域が折り返された後に開かないようにすることができ、上記シート体によって耳を覆った状態を適切に維持させるのに好適となる。
【００１９】
本発明の好ましい実施の形態においては、上記固定手段は、上記シート体に形成された追加のスリットを含んでおり、かつこの追加のスリットに上記カバー片領域の一部が挿入されることによりその固定が可能な構成とされている。このような構成によれば、上記カバー片領域の固定を図ることが簡易な構成により達成可能である。
【００２０】
本発明の好ましい実施の形態においては、上記カバー片領域には、上記追加のスリットへの挿通方向と交差する方向に延びる複数の帯状部が上記挿通方向に並んで形成されている。このような構成によれば、上記カバー片領域を上記追加のスリットに挿通させたときに、上記複数の帯状部は上記追加のスリットの周縁部に係止し、抜け止め用のストッパとして機能する。したがって、上記カバー片領域の固定状態の保持が簡易な構成により達成される。また、上記複数の帯状部は、上記挿通方向に並んでいるために、上記追加のスリットからのカバー片領域の抜け止めを複数段階で調整可能となる。したがって、耳のサイズが大小異なる場合にも好適に対処し得る。
【００２１】
本発明の好ましい実施の形態においては、上記シート体のうち、少なくとも上記カバー片領域の折り返し線となる部分およびその近傍部分は、撥水性または防水性を有している。このような構成によれば、染毛剤などが上記シート体を透過して耳に付着するといったことがより確実に防止される。
【００２２】
本発明のその他の特徴および利点については、以下に行う発明の実施の形態の説明から、より明らかになるであろう。
【００２３】
【発明の実施の形態】
以下、本発明の好ましい実施の形態について、図面を参照しつつ具体的に説明する。
【００２４】
図１は、本発明に係る耳カバーシートの一例を示している。本実施形態の耳カバーシートＡ１は、たとえば不織布製の柔軟性に富むシート体１を備えて構成されている。このシート体１の表裏両面の全面には、たとえばシリコーンコーティング処理などの撥水処理が施されている。シート体１の素材として、染毛剤の滲み込みを防止し得る撥水性をもともと備えたものが用いられている場合には、上記したような撥水処理を施す必要がないことはもちろんである。
【００２５】
シート体１は、スリット２０が形成されたベース領域１０、ベース領域１０の右部に一体的に繋がった第１のカバー片領域１１Ａ、およびベース領域１０の上部に一体的に繋がった第２のカバー片領域１１Ｂを有している（なお、本実施形態および後述する他の実施形態の説明においては、上下および左右などの各部の位置関係については、図面通りの位置関係にしたがうこととする）。ベース領域１０と第１および第２のカバー片領域１１Ａ，１１Ｂとの境界線Ｌ１，Ｌ２については、これらを仮想線で示すが、この境界線Ｌ１，Ｌ２は概略的なものである。後述するように、このシート体１は、ユーザの耳の大きさに合わせた箇所で折り返され、その折り返し位置は一定ではない。
【００２６】
ベース領域１０は、たとえば縦幅ｓ３が８ｃｍ程度、横幅ｓ４が５ｃｍ程度の略矩形またはそれに近い形状の領域である。スリット２０は、耳を通すためのものであり、ベース領域１０の中央部よりもベース領域１０の一側縁部１０ａ寄りの位置に設けられている。図面においては、スリット２０を判り易くする観点から一定幅に開口した形状に示されているが、本発明でいうスリットは、このように開口したものに限らず、たとえば自然状態において非開口状の単なる切り目としてもよい。このような切り目も本発明でいうスリットに該当する。これは後述する他のスリットについても同様である。スリット２０は、上下方向または斜め上下方向に延びており、その長さは、たとえば一般的な使用対象者の耳の根元の縦寸法と考えられる寸法よりもやや長め（たとえば４．５〜６ｃｍ程度）である。この耳カバーシートＡの実際の使用者の耳のサイズが大きい場合であって、スリット２０の長さが不足する場合には、たとえば使用の際にシート体１をスリット２０の位置で引き裂いたり、あるいはハサミで切るなどして、スリット２０を延長すればよく、このような調整は簡単に行なうことが可能である。
【００２７】
第１のカバー片領域１１Ａは、使用者の耳を耳後側から覆う役割を果たす部分であり、ベース領域１０の右側部分から右方に突出している。この第１のカバー片領域１１Ａの先端部は、この第１のカバー片領域１１Ａが境界線Ｌ１おいて矢印Ｎ１に示す方向に折り返されたときにスリット２０に挿入可能な突縁部１１ａとして形成されている。
【００２８】
第２のカバー片領域１１Ｂは、使用者の耳を耳上側から覆う役割を果たす部分であり、ベース領域１０の上部から上方に延びている。この第２のカバー片領域１１Ｂの一側縁には、スリット２０の長さよりも短い幅ｓ２の領域が図面左方に向けて適当に突出した突縁部１１ｂが形成されており、この第２のカバー片領域１１Ｂが境界線Ｌ２において矢印Ｎ２に示す方向に折り返されたときには、突縁部１１ｂをスリット２０に挿入可能となっている。
【００２９】
次に、上記構成の耳カバーシートＡ１の使用例について説明する。
【００３０】
まず、図２（ａ）に示すように、使用者の耳Ｅをスリット２０に通す。次いで、同図（ｂ）の矢印Ｎａに示すように、第１のカバー片領域１１Ａを境界線Ｌ１またはその近傍において耳前側となる図面左方向に折り返す。そして、この第１のカバー片領域１１Ａの突縁部１１ａをスリット２０に挿入し、その縁部に係止させる。これにより、耳Ｅを第１のカバー片領域１１Ａによって覆うことができるとともに、この第１のカバー片領域１１Ａが元通りに開いてしまうことを防止して、耳Ｅを覆った状態を維持することができる。上記折り返しの際には、耳Ｅの後部と折り返し位置との隙間ｓ１を小さくすることが耳カバーシートＡ１の位置ずれ防止などの観点からすれば好ましい。したがって、隙間ｓ１を小さくするように耳Ｅのサイズに応じて上記の折り返し位置を変更することとなる。シート体１は軟質であるため、そのような位置の変更を簡単に行なうことができる。
【００３１】
その後は、同図（ｃ）の矢印Ｎｂに示すように、第２のカバー片領域１１Ｂを境界線Ｌ２またはその近傍において耳下側となる図面下方向に折り返す。この折り返しの際にも、その折り返し部分と耳Ｅの上部との隙間はできる限り小さくなるようにすることが好ましく、このように隙間を小さくする調整も容易に行なうことが可能である。また、この折り返しに際し、上記隙間を小さくすることを目的として、第１のカバー片領域１１Ａの上部を二つ折りにしてもかまわない。
【００３２】
第２のカバー片領域１１Ｂを折り返した後には、図３（ａ）〜（ｃ）に示すように、突縁部１１ｂをスリット２０に挿入し、その縁部に係止させる。これにより、第２のカバー片領域１１Ｂが元通りに開くことが防止される。したがって、第１および第２のカバー片領域１１Ａ，１１Ｂによって耳Ｅを覆った状態が適切に維持される。
【００３３】
シート体１は、耳Ｅの全体を包み込む略袋状となるため、耳Ｅから容易に外れたり、あるいは位置ずれするようなことはない。既述したとおり、この耳カバーシートＡ１によれば、第１および第２のカバー片領域１１Ａ，１１Ｂを折り返すときにその折り返し位置を適宜調整することができるために、耳Ｅのサイズの大小を殆ど問うことなく、耳Ｅを適切に覆うことができる。耳Ｅは、シート体１のスリット２０に通されているものの、シート体１がこの部分を不当に強く圧迫するようなこともない。したがって、使用者に圧迫感などの不快感を生じさせることなく、耳カバーシートＡ１の装着使用が可能となる。
【００３４】
上記したように、耳Ｅを耳カバーシートＡ１によって覆うと、たとえば毛染めを行なうときに、染毛剤が耳Ｅに直接付着したり、あるいは染毛剤が耳上から耳Ｅに向けて垂れ流れて付着するといったことが防止される。とくに、第２のカバー片領域１１Ｂは、耳Ｅの耳上側において折り返されているために、耳Ｅの上部はそれらの折り返し部分によって適切に覆われている。また、耳Ｅの後部については、第１のカバー片領域１１Ａが耳後側において折り返されていることにより、やはりこの折り返し部分によって適切に覆われている。したがって、毛染めを行なうときに最も汚れ易い部分とされていた耳の上部や後部（耳介の耳輪に相当する部分）の汚れを確実に防止するのにより好適となる。
【００３５】
耳前部分などの耳Ｅの根元周辺部分の皮膚については、この部分にベース領域１０を密着させて覆うことも可能である。したがって、この部分の汚れも防止することができる。理・美容院などにおいて美容技術を施術する際には、顔や首筋などへの着色を防ぐことなどを目的として、それらの部分にいわゆるプロテクトクリームを塗るが、このクリーム上にベース領域１０を押し当てると、ベース領域１０を皮膚に密着させることができるために、このベース領域１０を利用した汚れ防止効果も得られる。
【００３６】
既述したとおり、本実施形態の耳カバーシートＡ１は、耳のサイズの大小を殆ど問うことなく、第２のカバー片領域１１Ｂに大きな弛みなどを生じさせないように耳Ｅを覆うことができる。したがって、多くの人を使用対象とすることができ、大変便利である。また、シート体１は、たとえば不織布製とされているために、肌触りなどの感触が良いものにすることもできる。使用に際しては、既述したとおり、耳Ｅをスリット２０に通した後にシート体１を所定箇所で折り畳んでからその折り畳んだ一部分をスリット２０に通すだけでよいため、短時間で耳への取り付けを行なうことができる。もちろん、スリット２０に通した部分をスリット２０から引き抜くことにより、耳カバーシートＡ１を耳から簡単に取り外すこともでき、使い勝手が良い。
【００３７】
本実施形態の耳カバーシートＡ１は、所定形状を有するシート体１のみによって構成されており、たとえば矩形状または長尺帯状のシートを所定の形状に裁断するだけで製造することが可能である。したがって、その原材料コストならびに加工コストを非常に安価にすることができる。このことは、シート体１として廃棄処理が容易な材質を選択可能であることと相まって、コスト的な観点からしても、耳カバーシートＡ１を使い捨てにすることの実現を容易とする。したがって、大勢の顧客を相手に施術を行なう理・美容院においては、使い捨てタイプの耳カバーシートとして用いるのに最適となる。また、耳カバーシートＡ１を軟らかな材質にすれば、たとえばヘアーキャップを使用するときにこのヘアーキャップのゴムが耳の上に被さっても、耳カバーシートＡ１がこのゴムの力を緩和し、ゴムが直接耳を締めつけないようにする作用も得られる。
【００３８】
図４〜図１１は、本発明の他の例を示している。なお、これらの図において、上記実施形態と同一または類似の要素には、上記実施形態と同一の符号を付している。
【００３９】
図４（ａ），（ｂ）に示す耳カバーシートＡ２は、シート体１のベース領域１０に、スリット２１が設けられた構成を有している。このスリット２１は、第２のカバー片領域１１Ｂの一部を挿入させるためのものであり、本発明でいう追加のスリットの一例に相当する。このスリット２１は、スリット２０の下方に位置し、かつ左右方向に延びている。
【００４０】
本実施形態においては、第１および第２のカバー片領域１１Ａ，１１Ｂの形状も、上記実施形態の耳カバーシートＡ１とは相違したものとなっている。より具体的には、本実施形態の耳カバーシートＡ２の第１のカバー片領域１１Ａは、境界線Ｌ１またはその近傍において図４（ａ）の左方に折り返されたときに使用者の耳を覆うのに適した形状およびサイズを有してはいるものの、スリット２０に一部挿入可能な形状は有していない。
【００４１】
第２のカバー片領域１１Ｂの先端部１２ａは、スリット２１への挿入が容易となるように狭幅な舌片状に形成されている。また、この第２のカバー片領域１１Ｂには、左右に並んで対をなす複数対の帯状部１２ｂ（１２ｂ１  〜１２ｂ３  ）が上下方向に並ぶようにして設けられている。これら複数の帯状部１２ｂは、第２のカバー片領域１１Ｂの外周縁部から第２のカバー片領域１１Ｂの左右幅方向中央部に向けて延びる複数条のスリット２２が形成されていることにより構成されている。各スリット２２の一端部には、第２のカバー片領域１１Ｂの先端部の方向に適当量だけ延びるスリット２２ａが繋がって形成されている。
【００４２】
本実施形態の耳カバーシートＡ２の使用に際しては、まず図５（ａ），（ｂ）に示すように、使用者の耳Ｅをスリット２０に通した後に、第１のカバー片領域１１Ａを矢印Ｎａに示す方向に折り返すことによって耳Ｅを覆う。この点については、上記実施形態の場合と同様である。次いで、同図（ｃ）の矢印Ｎｂに示すように、第２のカバー片領域１１Ｂを図面下方向に折り返してから、その先端部１２ａを矢印Ｎｃに示すようにスリット２１に挿通させ、第２のカバー片領域１１Ｂの先端部１２ａ以外の部分ついてもスリット２１に挿通させていく。これにより、図６（ａ），（ｂ）に示すように、複数対または一対の帯状部１２ｂがスリット２１を通過した状態にすることができる。第２のカバー片領域１１Ｂの先端部１２ａを下方に適度に引っ張ると、第２のカバー片領域１１Ｂの弛みがなくなり、耳Ｅのサイズの大小を殆ど問うことなく、第２のカバー片領域１１Ｂが耳Ｅの外方に大きく膨らまないように緊張させることができる。
【００４３】
複数対または一対の帯状部１２ｂがスリット２１を通過した状態において、第２のカバー片領域１１Ｂが上方に引張力を受けたときには、スリット２１を通過している帯状部１２ｂのうち、スリット２１に最も近い帯状部１２ｂがスリット２１の周縁部に係止し、抜け止め用のストッパとしての役割を果たす。したがって、第２のカバー片領域１１Ｂの弛み止めが適切に図られる。本実施形態の耳カバーシートＡ２においては、そのようなストッパの役割を果たす帯状部１２ｂが複数対設けられ、第２のカバー片領域１１Ｂの緊張度合いを複数段階で調整することが可能であるため、やはり耳Ｅのサイズの大小を殆ど問うことなく、第２のカバー片領域１１Ｂを適度に緊張させた状態が適切に維持される。
【００４４】
また、この耳カバーシートＡ２においては、図６（ａ）に示すように、第２のカバー片領域１１Ｂを下向きに折り返した状態にすると、各対の帯状部１２ｂは第２のカバー片領域１１Ｂの幅方向中央部分よりも外周縁寄り部分ほど高さが高くなるように傾斜する。このような構成によれば、たとえば各対の帯状部１２ｂの左右両端部が下向きに垂れ下がっている場合とは異なり、第２のカバー片領域１１Ｂに上向きの力が作用しても、各帯状部１２ｂは簡単にはスリット２１を抜け難いものとなる。とくに、本実施形態においては、各スリット２２に繋がっているスリット２２ａにスリット２１の周縁部が食い込む作用も得られるために、第２のカバー片領域１１Ｂの弛み防止効果はより高いものとなる。
【００４５】
上記した効果により、本実施形態の耳カバーシートＡ２は、耳Ｅからの脱落や位置ずれがより生じ難いものとなり、たとえば毛染めを行なうときに、耳カバーシートＡ２に手が多少触れても、これによって耳カバーシートＡ２が耳Ｅから簡単に外れるといった虞れを無くすことができる。本実施形態の耳カバーシートＡ２も、上記実施形態の耳カバーシートＡ１と同様に、第１および第２のカバー片領域１１Ａ，１１Ｂによって耳Ｅを耳後側および耳上側から覆うことができるために、上記実施形態において述べたのと同様な利点が得られる。なお、第２のカバー片領域１１Ｂをスリット２１から引き抜くことにより、やはりこの耳カバーシートＡ２を耳Ｅから簡単に取り外すことが可能である。
【００４６】
上記実施形態から理解されるように、本発明においては、耳を通すためのスリット２０とは別のスリット２１を利用することによって、第１および第２のカバー片領域１１Ａ，１１Ｂを折り返したときの保持を図る構成としてもかまわない。この場合のスリット２１の具体的な形状、サイズ、位置などはとくに限定されるものではない。
【００４７】
図７に示す構成においては、シート体１が上記した耳カバーシートＡ２の帯状部１２ｂに相当する部分を有しない構成とされている。この構成においては、第２のカバー片領域１１Ｂを仮想線Ｌａの位置で下方に折り返したときに、この第２のカバー片領域１１Ｂをその先端部１２ａからスリット２１に挿入させるだけであるが、本発明においてはこのような構成としてもかまわない。また、このような構成において、第２のカバー片領域１１Ｂの先端部１２ａ以外の部分をスリット２１よりも幅広にしておき、この幅広な部分をくしゃくしゃにして縦皺状のギャザーをとるようにしてスリット２１に通すと、スリット２１の内周縁と第２のカバー片領域１１Ｂとの間に比較的大きな摩擦抵抗を生じさせることができ、これによってスリット２１から第２のカバー片領域１１Ｂが容易に抜けないようにすることも可能である。
【００４８】
図８（ａ）に示す構成においては、シート体１のベース領域１０には、耳通し用のスリットに代えて、ミシン目線２０Ａが設けられている。このミシン目線２０Ａは、耳通し用のスリットを形成するための手段であり、本発明でいう破断容易部の一例に相当する。本実施形態の耳カバーシートを使用する場合には、まずミシン目線２０Ａの形成箇所を破断させてスリットを形成し、このスリットに耳を通すこととなる。したがって、このような構成によっても、本発明の目的が適切に達成される。また、ミシン目線２０Ａを破断させるときには、使用者の耳に対応するサイズのスリットを形成することが可能となるため、耳カバーシートを耳にフィットさせるのにより好適となる。
【００４９】
同図（ｂ）においては、スリット２０とミシン目線２０Ａとを複合的に設けており、本発明においては、このような構成にすることもできる。スリット２０は、たとえば一般的に比較的小さいと考えられるサイズの耳に対応する長さに設定されており、このスリット２０の延長線上にミシン目線２０Ａが設けられている。このような構成によれば、使用者の耳が小さい場合には、ミシン目線２０Ａの形成箇所を破断させることなく、スリット２０にそのまま耳を通すことが可能である。これに対し、使用者の耳が大きく、スリット２０の寸法が不足するときには、ミシン目線２０Ａの形成箇所をその不足分に略対応する寸法だけ破断させることにより、その耳のサイズに対応したスリットを簡単に形成することが可能であり、便利である。
【００５０】
本発明でいう破断容易部は、上記したようなミシン目線に限らない。破断容易部は、ベース領域の他の部分と比較して相対的に破断が容易であればよく、たとえばシート体のベース領域に、他の部分よりも厚みが小さいことによって破断が容易な領域を筋状などに形成しておき、この領域を破断させることによって耳通し用のスリットが形成される構成としてもかまわない。
【００５１】
図９（ａ），（ｂ）においては、いずれもシート体１が上述した実施形態の第１のカバー片領域１１Ａに相当する部分を有しない構成とされている。このような構成であっても、カバー片領域１１Ｂを境界線Ｌ２またはその近傍において下向きに折り返すことにより、耳Ｅの全体を覆うことが可能であり、本発明が意図する作用が得られる。耳Ｅをその上方側から覆うことができるために、耳Ｅの上部に染毛剤が付着することを防止するのに好適である。
【００５２】
図１０に示す構成においては、シート体１が第２のカバー片領域１１Ｂに相当する部分を有しておらず、ベース領域１０にカバー片領域１１Ａのみが繋がっている。このような構成によれば、カバー片領域１１Ａを境界線Ｌ１またはその近傍において図面左方に折り返すことにより、耳Ｅをその耳後側から覆うことが可能である。したがって、耳Ｅの後部の汚れ防止などを図るといった用途に適する。このように、本発明においては、耳をその上方から覆うのに代えて、それとは異なる方向のみから覆うようにしてもかまわない。
【００５３】
図１１に示す構成においては、シート体１のスリット２０の下方に接着部４０が設けられている。接着部４０は、その表面に粘着層を有するものであり、たとえば両面接着テープをシート体１に貼着することにより設けられている。この接着部４０の表面は、通常時には離型紙により覆われており、耳カバーシートを使用するときにはこの離型紙が剥離される。このような構成によれば、シート体１を同図の仮想線Ｌａの位置で折り返したときに、第２のカバー片領域１１Ｂをこの接着部４０に接着させることにより、その折り返し状態を維持することができる。本発明においては、カバー片領域の固定手段として、上記のような接着手段を用いてもかまわない。
【００５４】
本発明においては、カバー片領域を折り返したときにこの状態を固定させておくための手段を設けることが好ましいものの、必ずしもこのような手段は設けなくてもかまわない。カバー片領域の固定は、たとえば理・美容院などにおいて毛髪を止めるのに用いられているクリップやピンを用いて行なうようにしてもかまわない。
【００５５】
本発明は、上述した実施形態の内容に限定されない。本発明に係る耳カバーシートの各部の具体的な構成は、種々に設計変更自在である。
【００５６】
たとえば、シート体は、不織布製でなくてもかまわず、それ以外の布製、フェルト製、コットン製、紙製、合成樹脂製など、種々の材質にすることができる。もちろん、材質が異なるシートまたはフィルムどうしを積層したラミネートシートを用いてもかまわない。耳を覆うときに外面側となる片面が撥水性を有し、かつその反対側の肌に直接触れる面が上記片面よりも軟らかい材質により形成されたシート体を用いれば、染毛剤などの浸透を確実に防止しつつ、使用感を良好にするのにより好適である。また、シート体の表裏両面に撥水性をもたせるようにすれば、そのシート体を右耳および左耳のいずれに使用する場合にも、撥水性を備えた面を外面側にするようにして耳に取り付けることが可能となり、便利である。
【００５７】
また、シート体としては、たとえば非透水性を有する防水用フィルムをそれよりも柔軟な不織布などの２枚のシート間に挟み込んだ積層構造にすることもできる。このような構成によれば、シート体の表裏両面のいずれについても肌触りを良くしつつ、染毛剤などの浸透を防止可能であり、しかもそのシート体を右耳および左耳のいずれにも使用可能なものとすることができる。
【００５８】
シート体に撥水性をもたせるための処理としては、シリコーンコーティング処理以外として、パラフィン、ワックス、フッ素系樹脂のいずれかまたは複数を混合したものを、塗布し、そのコーティング層または含浸層を形成するといった手段を用いることができる。シート体の製造方法として、原料となる長尺帯状シートにそのような処理を施した後に、そのシートを所定の形状に打ち抜くようにすれば、多数枚のシート体を効率良く製造し、その生産性を高めることができる。また、これとは異なり、たとえば長尺帯状の不織布シートに非透水性の長尺帯状フィルムを積層させた後に、この積層シートを所定の形状に打ち抜くといった手法を採用することもできる。本発明に係る耳カバーシートは、たとえば不織布や紙の型抜き加工の分野において公知技術として知られているトムソン加工を用いて製造可能であるが、これに限定されないことは言うまでもない。
【００５９】
シート体に染毛剤などが浸透することを防止するためには、シート体の全体に防水性または撥水性をもたせることが好ましいものの、これに代えて、たとえばカバー片領域の折り返し線となる部分およびその近傍部分のみに防水性または撥水性を具備させるようにしてもかまわない。毛染めを行なうときには、カバー片領域の折り返し部分に染毛剤が最も付着し易く、この部分に染毛剤が浸透することを防止する効果が得られるからである。シート体を比較的厚手のものにすれば、シート体の表層部分に染毛剤が浸透しても、これが耳まで到達しないように染毛剤の進行をある程度阻止することが可能であり、防水性または撥水性をもたない構成とすることも可能である。シート体としては、柔軟性に富むものを用いることが好ましいものの、これに限らず、少なくともシート体を折り曲げて耳に沿わせることを可能とする可撓性を有していればよい。
【００６０】
本発明に係る耳カバーシートは、製造コストを廉価にする観点からすれば、シート体のみによって構成することが好ましいものの、シート体とは別体の部材（たとえば図１１に示した接着部４０やこれ以外のもの）が付属して設けられた構成とされていてもかまわない。
【図面の簡単な説明】
【図１】（ａ）は、本発明に係る耳カバーシートの一例を示す正面図であり、（ｂ）は、その側面図である。
【図２】（ａ）〜（ｃ）は、図１に示す耳カバーシートの取り付け手順を示す説明図である。
【図３】（ａ）は、図１に示す耳カバーシートの取り付け使用状態を示す説明図であり、（ｂ）は、（ａ）のＩＩＩｂ−ＩＩＩｂ断面図であり、（ｃ）は、（ａ）のＩＩＩｃ−ＩＩＩｃ断面図である。
【図４】（ａ）は、本発明に係る耳カバーシートの他の例を示す正面図であり、（ｂ）は、その側面図である。
【図５】（ａ）〜（ｃ）は、図４に示す耳カバーシートの取り付け手順を示す説明図である。
【図６】（ａ）は、図４に示す耳カバーシートの取り付け使用状態を示す説明図であり、（ｂ）は、（ａ）のＶＩ−ＶＩ断面図である。
【図７】本発明に係る耳カバーシートの他の例を示す正面図である。
【図８】（ａ），（ｂ）は、本発明に係る耳カバーシートの他の例を示す正面図である。
【図９】（ａ），（ｂ）は、本発明に係る耳カバーシートの他の例を示す正面図である。
【図１０】本発明に係る耳カバーシートの他の例を示す正面図である。
【図１１】本発明に係る耳カバーシートの他の例を示す正面図である。
【図１２】（ａ）は、従来技術の一例を示す正面図であり、（ｂ）は、その断面図である。
【図１３】従来技術の他の例を示す斜視図である。
【符号の説明】
Ａ１，Ａ２  耳カバーシート
Ｅ  耳
１  シート体
１１  ベース領域
１１Ａ  第１のカバー片領域（カバー片領域）
１１Ｂ  第２のカバー片領域（カバー片領域）
２０  スリット
２１  スリット（追加のスリット）
【図１】
2004290647.tif 000003
【図２】
2004290647.tif 000004
【図３】
2004290647.tif 000005
【図４】
2004290647.tif 000006
【図５】
2004290647.tif 000007
【図６】
2004290647.tif 000008
【図７】
2004290647.tif 000009
【図８】
2004290647.tif 000010
【図９】
2004290647.tif 000011
【図１０】
2004290647.tif 000012
【図１１】
2004290647.tif 000013
【図１２】
2004290647.tif 000014
【図１３】
2004290647.tif 000015